(57)【要約】【課題】目詰まりやオイル漏れなどの異常を検出することのできるエンジンオイル供給制御装置を提供する。【解決手段】オイルパン１１に貯留されたエンジンオイルは、オイルポンプ１２により汲み上げられ、ＯＣＶ１３を介してＭＯＰ１４に圧送される。そして、ＭＯＰ１４にて調量され、オイル供給弁１５を介してロータリハウジング１６に供給される。ここで、圧力センサ１７によりＭＯＰ元圧が検出されるようになっており、ＭＯＰ元圧が目標圧に一致するようにＯＣＶ１３の駆動制御が行われている。かかる構成において、所定期間におけるＭＯＰ制御量の積算値を求め、その積算値が予め定めた正常動作範囲内かを判定する。そして、正常動作範囲内でない場合に異常が発生していると判断する。【選択図】図１
2007224728.tif 000002
【特許請求の範囲】
【請求項１】
エンジンオイルを圧送するオイルポンプと、該オイルポンプより圧送されるエンジンオイルを調圧する調圧弁と、該調圧弁により調圧されたエンジンオイルを調量してエンジンに供給する調量ポンプとからなるオイル輸送系を有し、
所望量のエンジンオイルを供給するべく、前記エンジンの運転状態に基づいて前記調量ポンプの制御量を求めるとともに該制御量に応じて前記調量ポンプを駆動制御する一方、前記調量ポンプの元圧を目標とする圧力に保つべく、前記調圧弁の制御量を求めるとともに該制御量に応じて前記調圧弁をフィードバック制御するエンジンオイル供給制御装置において、
前記調圧弁の制御量と前記調量ポンプの制御量との相関に基づいて前記オイル輸送系の異常検出を行う異常検出手段を備えたことを特徴とするエンジンオイル供給制御装置。
【請求項２】
前記異常検出手段は、前記調圧弁の制御量と前記調量ポンプの制御量との相関に加え、前記調量ポンプの元圧に関する情報に基づいて前記オイル輸送系の異常を検出することを特徴とする請求項１に記載のエンジンオイル供給制御装置。
【請求項３】
前記異常検出手段は、現時点前所定期間の前記調圧弁の制御量を積算する手段と、同所定期間の間前記調量ポンプの制御量が所定量以上である場合に、前記積算する手段により積算した積算値が予め定めた正常範囲内であるか否かを判定する手段とを備え、前記相関に基づく異常検出として、前記判定する手段により正常範囲内でないと判定した場合に、前記オイル輸送系に異常が生じていると判断することを特徴とする請求項１に記載のエンジンオイル供給制御装置。
【請求項４】
前記所定期間における前記調量ポンプの制御量の積算値を算出する手段と、該手段により算出した積算値に基づいて前記正常範囲を可変設定する手段とを備えたことを特徴とする請求項３に記載のエンジンオイル供給制御装置。
【請求項５】
前記所定期間における前記調量ポンプの元圧に関する情報の積算値を算出する手段と、該手段により算出した積算値に基づいて前記正常範囲を可変設定する手段とを備えたことを特徴とする請求項３又は４に記載のエンジンオイル供給制御装置。
【請求項６】
前記異常検出手段は、前記算出した調圧弁の制御量の積算値が正常動範囲よりも小さい場合に前記オイル輸送系に目詰まりが生じていると判断し、前記算出した調圧弁の制御量の積算値が正常動範囲よりも大きい場合に前記オイル輸送系にオイル漏れが生じていると判断することを特徴とする請求項３乃至５のいずれかに記載のエンジンオイル供給制御装置。
【請求項７】
前記調圧弁のフィードバック制御において前記調量弁の目標とする圧力近傍に不感帯を設定し、前記異常検出手段は、前記調量ポンプの制御量の変化に対する前記調圧弁の制御頻度に基づいて異常検出を行うことを特徴とする請求項１又は２に記載のエンジンオイル供給制御装置。
【発明の詳細な説明】
【技術分野】
【０００１】
本発明は、エンジンオイル供給制御装置にかかり、目詰まりやオイル漏れなどの異常を検出する技術に関する。
【背景技術】
【０００２】
従来、ロータリエンジン等においては、エンジンオイル供給装置よりエンジンオイルが供給され、摺動部等の潤滑が行われている。かかる供給装置では、エンジンオイルがオイルポンプにて汲み上げられるとともに調量ポンプにより適量供給されるようになっている（例えば、特許文献１）。
【０００３】
ところで、エンジンオイル供給装置において、オイルポンプや調量ポンプの動作不良やオイル経路の劣化等により、目詰まり若しくはオイル漏れといった異常が生じる場合がある。その場合、エンジンに供給されるエンジンオイルの過不足が生じ、それに起因してエンジン性能や排ガス特性に悪影響を与えるおそれがある。
【０００４】
この問題に対し、特許文献１では、調量ポンプにおいてエンジンオイルの供給量を調整するために用いられるステッピングモータの回転位置を検出するポジションセンサを備えている。そして、ステッピングモータに与えられる回転位置指令と、ポジションセンサにより検出される実際の回転位置との比較を行い、ステッピングモータの固着異常を検出している。しかしながら、特許文献１では、ステッピングモータの固着以外の異常を検出することができず、目詰まりやオイル漏れなどの異常を検出することができない。
【０００５】
近年では、調量ポンプにおけるエンジンオイルの調量精度を向上させるべく、オイルポンプと調量ポンプとの間に調圧弁及び圧力センサが設けられ、調量ポンプの元圧を一定にすることが行われている。しかしながら、異常を目詰まりやオイル漏れなどの異常を検出する技術が依然として提案されていない。
【特許文献１】特開平４−６３９４８号公報
【発明の開示】
【発明が解決しようとする課題】
【０００６】
本発明は、上記課題を解決するためになされたものであり、その目的は、目詰まりやオイル漏れなどの異常を検出することのできるエンジンオイル供給制御装置を提供することである。
【課題を解決するための手段】
【０００７】
以下、上記課題を解決するための手段及びその作用効果について説明する。
【０００８】
請求項１に記載の発明では、調圧弁の制御量と調量ポンプの制御量との相関に基づいて異常検出を行う。
【０００９】
本発明のエンジンオイル供給制御装置は、エンジンオイルを圧送するオイルポンプ、オイルポンプより圧送されるエンジンオイルを調圧する調圧弁及び調圧弁により調圧されたエンジンオイルを調量してエンジンに供給する調量ポンプからなるオイル輸送系を有している。そして、所望量のエンジンオイルを供給するべく、エンジンの運転状態に基づいて調量ポンプの制御量が求められるとともにその制御量に応じて調量ポンプが駆動制御される。また、調量ポンプの元圧を目標とする圧力に保つべく、調圧弁の制御量が求められるとともにその制御量に応じて調圧弁がフィードバック制御される。
【００１０】
かかるエンジンオイル供給制御装置において、オイルポンプや調量ポンプの動作不良やオイル経路の劣化等により、目詰まりやオイル漏れといった異常が生じる場合がある。その場合、エンジンに供給されるエンジンオイルの過不足が生じ、それに起因してエンジン性能や排ガス特性に悪影響を与えるおそれがある。
【００１１】
ところで、そのような異常が生じると、エンジンオイルの目標とする供給量が一定であったとしても、エンジンオイルの消費量が変化する。例えば、目詰まりが生じた場合には、エンジンオイルは消費されにくくなるため、実際のエンジンオイルの消費量が減少する。また、オイル漏れが生じた場合には、オイル漏れの分だけエンジンオイルの消費量が増加する。そして、その結果、調量ポンプの元圧を一定に保つべく駆動制御される調圧弁の制御態様が変化する。
【００１２】
したがって、本発明のように、エンジンオイルの目標とする供給量に相当する調圧弁の制御量と調量ポンプとの制御量との相関に基づき、オイル輸送系の異常検出を行うことが可能である。そして、オイル輸送系の異常を検出した場合には、例えば運転者等に異常の発生を警告することによって修理・交換を促すと良い。これにより、エンジンオイルが適量に供給されないことによるエンジン性能の低下や排ガス特性の悪化を回避することができる。
【００１３】
請求項２に記載の発明では、請求項１に記載の発明において、調圧弁の制御量と調量ポンプの制御量との相関に加え、調量ポンプの元圧に関する情報に基づいて異常検出を行う。
【００１４】
前述した調圧弁の制御態様は、調量ポンプの元圧によっても変化する。ここで、調量ポンプの元圧に関する情報には、目標とする圧力及び圧力センサなどにより検出される実圧が含まれる。すなわち、調量ポンプの元圧が大きいと、目詰まりが生じたとしていてもある程度のエンジンオイルが消費される一方、オイル漏れが生じた場合にはオイル漏れの影響が大きくなりエンジンオイルの消費量が増加する傾向にある。したがって、調圧弁の制御量と調量ポンプの制御量とに加え、調量ポンプの元圧に関する情報に基づいて異常検出を行うことにより、オイル輸送系の異常をより的確に検出することが可能である。
【００１５】
請求項３に記載の発明では、請求項１に記載の発明において、現時点前所定期間の調圧弁の制御量を積算する。そして、調圧弁の制御量と調量ポンプの制御量との相関に基づく異常検出として、同所定期間の間調量ポンプの制御量が所定量以上である場合に、その調圧弁の制御量の積算値が予め定めた正常範囲内でなければ異常が発生していると判断する。
【００１６】
エンジンオイルは粘性や圧縮性を有しているため、特定の時期における調圧弁の制御量に着目してもそれが異常に起因するものかを判断することが難しい。そこで、本発明のように現時点前所定期間における調圧弁の制御量を積算して、その積算値により異常の影響を把握すると良い。かかる場合、調圧弁の制御量の積算値が予め定めた正常範囲か否かを判定することにより、オイル輸送系が異常であるか否かを判断することができる。ただし、調圧弁の制御量がある程度出力されうる場合でないとその積算値が正常範囲内か否かを判定することができないため、調量ポンプの制御量が所定量以上である場合に異常であるか否かを判断すると良い。
【００１７】
先述したように調圧弁の制御量は、調量ポンプの制御量や調量ポンプの元圧の影響を受ける。このため、請求項４に記載の発明のように、現時点前所定期間の調量ポンプの制御量を積算し、その積算値に基づいて正常範囲を可変設定する良い。同様に、請求項５に記載の発明のように、現時点前所定期間の調量ポンプの元圧に関する情報を積算し、その積算値に基づいて正常範囲を可変設定すると良い。これらにより、オイル輸送系の異常をより的確に検出することができる。
【００１８】
請求項６に記載の発明では、請求項３乃至５のいずれかに記載の発明において、調圧弁の制御量の積算値が正常動範囲よりも小さい場合にオイル輸送系に目詰まりが生じていると判断し、調圧弁の制御量の積算値が正常動範囲よりも大きい場合にオイル輸送系にオイル漏れが生じていると判断する。前述したように目詰まりが生じた場合には調圧弁の制御量が減少し、オイル漏れが生じた場合には調圧弁の制御量が増加するため、調圧弁の制御量の積算値と正常動作範囲との関係から目詰まり又はオイル漏れの異常を検出することができる。
【００１９】
以上説明した請求項３乃至６に記載の発明では、所定期間における調圧弁の制御量及び調量ポンプの制御量や調量ポンプの元圧に関する情報の積算値を算出して異常検出を行っている。このため、エンジンオイルの所望とする供給量、調量ポンプの元圧の目標圧又はオイルポンプにより圧送されるエンジンオイルの量がエンジン運転状態などに応じて変化したとしても、異常検出が適正に行われる。
【００２０】
請求項７に記載の発明では、請求項１又は２に記載の発明において、調圧弁のフィードバック制御において調量弁の目標とする圧力近傍に不感帯を設定する。そして、調圧ポンプの制御量と調量ポンプの制御量との相関に基づく異常検出として、調量ポンプの制御量の変化に対する調圧弁の制御頻度に基づいて異常検出を行う。
【００２１】
調圧弁のフィードバック制御において、調量弁の目標とする圧力近傍に不感帯を設けたことにより、調量ポンプの元圧が目標とする圧力近傍の場合には、調圧弁の制御量が算出されず、調圧弁の制御が行われない。すなわち、調量ポンプの元圧が不感帯を超えた場合にのみ、調圧弁の制御量が算出され、調圧弁の制御が行われる。このため、目詰まりが発生してエンジンオイルが消費されにくい場合には調圧弁の制御頻度が低下し、オイル漏れが発生してエンジンオイルが余分に消費される場合には調圧弁の制御頻度が増加する。このため、調量ポンプの制御量の変化に応じた調圧弁の制御頻度に着目して異常検出を行うことが可能である。
【発明を実施するための最良の形態】
【００２２】
以下、本発明を具体化した一実施の形態を図面に従って説明する。本実施の形態は、２ロータ式の車載ロータリエンジンを対象としてエンジンオイル供給システムを構築するものとしており、当該供給システムにおいては電子制御ユニット（以下、ＥＣＵという）からの制御指令に基づき適量のエンジンオイルを供給することとしている。先ずは、図１を用いてエンジンオイル供給システムの概略構成を説明する。
【００２３】
図１において、オイルパン１１に貯留されたエンジンオイルは、オイルポンプ１２により汲み上げられ、オイルコントロールバルブ（以下、ＯＣＶという）１３を介してメタリングオイルポンプ（以下、ＭＯＰという）１４に圧送される。そして、ＭＯＰ１４にて調量され、オイル供給弁１５を介してロータリハウジング１６に供給される。ここで、ＭＯＰ１４の元圧（以下、ＭＯＰ元圧という）が圧力センサ１７によって検出されるようになっている。
【００２４】
詳しくは、オイルポンプ１２は、エンジンのクランク軸（図示略）の回転に伴って駆動されるものであり、エンジンオイルが一定の圧力にて圧送されるように余分なエンジンオイルがオイルパン１１に排出されるようになっている。ＯＣＶ１３は、モータ等の電気アクチュエータによりバルブの開閉が行われ、そのバルブ開閉に伴い、オイルパン１１、オイルポンプ１２及びＭＯＰ１４のオイル経路の接続が切り替えられるようになっている。すなわち、オイルポンプ１２とＭＯＰ１４とのオイル経路を接続すると、オイルポンプ１２からＭＯＰ１４にエンジンオイルの供給が行われてＭＯＰ元圧が増加する。一方で、ＭＯＰ１４とオイルパン１１とのオイル経路を接続すると、ＭＯＰ１４からオイルパン１１にエンジンオイルの排出が行われてＭＯＰ元圧が減少する。これにより、ＭＯＰ元圧を所定の目標圧に保つことが可能であり、ＭＯＰ１４における調量精度の向上が図られている。また、ＭＯＰ１４は、モータ等の電気アクチュエータによりエンジンオイルの調量が行われるようになっている。
【００２５】
ＥＣＵ２０は、周知の通りＣＰＵ、ＲＡＭ、ＲＯＭ等からなるマイクロコンピュータを主体として構成され、ＲＯＭに記憶された各種の制御プログラムを実行することによってエンジンの各種運転状態を制御するものである。すなわち、ＥＣＵ２０は、エンジンオイル供給制御において、エンジンオイルの供給量を調整するべくＭＯＰ１４を駆動制御するとともに、ＭＯＰ元圧を目標圧に一致させるべくＯＣＶ１３を駆動制御する。具体的には、エンジン回転速度やエンジン水温などのエンジンの運転状態を表す情報を取得し、その運転状態情報に基づいてエンジンオイルの目標供給量を算出する。そして、その目標供給量に基づいてＭＯＰ１４の制御量を算出するとともに、実際にＭＯＰ１４を駆動制御するためのＭＯＰ制御信号を生成してＭＯＰ１４に出力する。また、運転状態情報に基づいてＭＯＰ元圧の目標圧を算出するとともに、圧力センサ１７を用いてＭＯＰ元圧の実圧を検出する。そして、その圧力偏差に基づいてＯＣＶ１３の制御量を算出するとともに、実際にＯＣＶ１３を駆動制御するためのＯＣＶ制御信号を生成してＯＣＶ１３に出力する。なお、本実施の形態では、ＯＣＶ１３の制御頻度を抑えるために、ＯＣＶ１３の制御量を算出する際に、ＭＯＰ元圧の目標圧近傍に不感帯を設けている。
【００２６】
ここで、ＥＣＵ２０からＯＣＶ１３に対するＯＣＶ制御信号としてはＰＷＭ信号が出力される。すなわち、デューティ比０〜１００％のパルス信号が出力される。そして、デューティ比が５０％（保持デューティ比）である場合には、ＯＣＶ１３とＭＯＰ１４とのオイル経路が閉じられる。この結果、エンジンオイルがオイルポンプ１２からＭＯＰ１４に圧送されず、ＭＯＰ元圧が保持される。これに対し、デューティ比が５０％より大きい場合には、オイルポンプ１２とＭＯＰ１４とのオイル経路が開かれ、オイルポンプ１２からＭＯＰ１４にエンジンオイルが圧送されてＭＯＰ元圧が増加する。一方で、デューティ比が５０％より小さい場合には、オイルパン１１とＭＯＰ１４とのオイル経路が開かれ、エンジンオイルがオイルパン１１に排出されてＭＯＰ元圧が減少する。なお、保持デューティ比はエンジンオイルの温度等の条件によって変化するため学習を行う必要があるが、ここではその説明を省略する。
【００２７】
図２は、エンジンオイル供給システムが正常に動作する場合の様子を示すタイムチャートである。図２において、タイミングｔ１１以前は、エンジンオイルの目標供給量が比較的少なく、ＭＯＰ制御量が小さい。そのため、エンジンオイルの消費量が少なく、ＭＯＰ元圧は緩やかに減少する。一方で、タイミングｔ１１以降において、エンジン運転状態の変化に伴ってエンジンオイルの目標供給量が増加し、それに応じてＭＯＰ制御量が大きくなると、エンジンオイルの消費量が増加してＭＯＰ元圧の減少度合いが大きくなる。その後、タイミングｔ１２において、ＭＯＰ元圧が目標圧に対して乖離して不感帯を超えると、５０％より大きなデューティ比のＯＣＶ制御信号が出力される。これにより、オイルポンプ１２とＭＯＰ１４とのオイル経路が開かれ、ＭＯＰ１４に対してエンジンオイルが圧送されてＭＯＰ元圧が上昇する。このＯＣＶ制御信号は、タイミングｔ１３においてＭＯＰ元圧が不感帯内に戻るまで出力され、この結果、ＭＯＰ元圧が目標圧程度まで回復する。このようなＯＣＶ制御信号がＭＯＰ元圧の実圧が減少する度に出力されることにより、ＭＯＰ元圧が目標圧に保たれる。
【００２８】
さて、エンジンオイル供給システムにおいては、ＭＯＰ１４などの動作不良やオイル経路の劣化等により、目詰まり若しくはオイル漏れといった異常が生じる場合がある。その場合、ロータリハウジング１６にエンジンオイルを適量供給することができず、エンジン性能や排ガス特性に悪影響を及ぼすことが懸念される。
【００２９】
図３は、エンジンオイル供給システムにおいて異常が発生した場合の様子を示すタイムチャートであり、エンジンオイル供給システムの異常として、図３（ａ）には目詰まりが発生した場合、図３（ｂ）にはオイル漏れが発生した場合の様子を示す。図３（ａ）に示すように、目詰まりが発生した場合には、エンジンオイルが消費されにくくなるため、ＭＯＰ元圧がほとんど変化しない。したがって、図２に示した正常動作をする場合に比べて、ＭＯＰ元圧を目標圧に一致させるために出力されるＯＣＶ制御信号の変化頻度が少なくなる。また、図３（ｂ）に示すように、オイル漏れが発生した場合には、目標供給量よりも多くのエンジンオイルが消費されるため、ＭＯＰ元圧の減少度合いが大きくなる。したがって、図２に示した正常動作をする場合に比べて、ＭＯＰ元圧を目標圧に一致させるために出力されるＯＣＶ制御信号の変化頻度が多くなる。さらに、このとき、ＭＯＰ制御量が大きいほど、エンジンオイルの目標供給量が多くなって消費量が増加するため、ＯＣＶ制御信号のデューティ比が大きくなる。
【００３０】
本実施の形態では、このようなＯＣＶ制御信号の変化に着目して異常の発生を検出する。ただし、エンジンオイルは粘性や圧縮性を有しているため、特定の時期におけるＯＣＶ制御信号の挙動からでは異常が発生しているか否かを判断することが難しい。そこで、所定期間におけるＯＣＶ制御量の積算値を求める。目詰まりが生じている場合には図３（ａ）に示したようにＯＣＶ制御信号の変化頻度が少なくなるためにそのＯＣＶ制御量の積算値が小さくなる一方、オイル漏れが生じている場合には図３（ｂ）に示したようにＯＣＶ制御信号の変化頻度が多くなるためにそのＯＣＶ制御量の積算値が大きくなる。したがって、ＯＣＶ制御量の積算値の正常動作範囲を予め定めておき、ＯＣＶ制御量の積算値がその正常動作範囲内であるかに基づき、異常が発生しているか否かを判断する。詳しくは、ＯＣＶ制御量の積算値が正常動作範囲よりも小さい場合には目詰まりが生じていると判断し、正常動作範囲よりも大きい場合にオイル漏れが生じていると判断する。
【００３１】
ところで、ＯＣＶ制御量はＭＯＰ制御量やＭＯＰ元圧などに影響を受けるため、本実施の形態では、ＭＯＰ制御量やＭＯＰ元圧の積算値に応じてＯＣＶ制御量の積算値の正常動作範囲を可変設定する。図４はＯＣＶ制御量の積算値の正常動作範囲を示す図であり、図４（ａ）はＭＯＰ制御量の積算値により可変設定されたものを示し、図４（ｂ）はＭＯＰ元圧の積算値により可変設定されたものを示している。
【００３２】
先ずＭＯＰ制御量に着目すると、ＭＯＰ制御量が大きいほど、エンジンオイルの実供給量が増加してより多くのエンジンオイルが消費されるため、ＯＣＶ制御量の積算値が増加する。したがって、図４（ａ）に示すように、ＭＯＰ制御量の積算値が大きくなるにつれて正常動作範囲の上限側を広げる。次に、ＭＯＰ元圧の着目すると、ＭＯＰ元圧が大きいと、ＭＯＰ制御量と同様にＯＣＶ制御量の積算値が増加する一方で、目詰まりが生じていたとしてもある程度のエンジンオイルが供給されるためＯＣＶ制御量の積算値が生じる。したがって、図４（ｂ）に示すように、ＭＯＰ元圧の積算値が大きくなるにつれ、正常動作範囲の上限側を広げる一方で、正常動作範囲の下限側を狭める。
【００３３】
図５は、エンジンオイル供給システムの異常検出処理を示すフローチャートである。本異常検出処理は、ＥＣＵ２０によって所定周期毎に実行される。
【００３４】
先ずステップＳ１０１では、エンジン運転状態を表す情報としてエンジン回転速度及びエンジン水温を取得する。そして、ステップＳ１０２〜Ｓ１０５では、それら検出したエンジン運転状態情報等に基づき、異常検出を行うための条件が成立しているか否かを判定する。いずれかの条件が成立していない場合には、異常検出を行わず本異常検出処理を終了する。
【００３５】
すなわち、ステップＳ１０２では、エンジン回転速度が所定値以上であるか否かを判定する。エンジン回転速度が所定値以上でない場合には、オイルポンプ１２から圧送されるエンジンオイルの量が少なく、ＯＣＶ１３によるＭＯＰ元圧の調圧があまり行われないため、異常検出を行わない。ステップＳ１０３では、エンジン水温が所定値以上か否かを判定する。エンジンオイルの粘性等の特性は温度によって大きく変化するため、エンジン水温が所定値以上でない場合には異常検出を行わない。ステップＳ１０４では、エンジン始動から所定時間が経過しているかを判定する。エンジン始動から所定時間が経過するまではエンジンオイルがエンジンオイル供給システム内に十分に供給されていないため、異常検出を行わない。ステップＳ１０５では、ＭＯＰ制御量が所定量以上であるか否かを判定する。ＭＯＰ制御量が小さい場合には、エンジンオイルの目標供給量が少なく、ＯＣＶ１３によるＭＯＰ元圧の調圧があまり行われないため、異常判定を行わない。
【００３６】
ステップＳ１０２〜Ｓ１０５において全ての条件が成立している場合には、ステップＳ１０６に移行する。ステップＳ１０６では過去所定回数回α分（例えば過去１００回分）のＯＣＶ制御量の積算値を算出し、ステップＳ１０７では同様に過去所定回数回α分のＭＯＰ制御量の積算値を算出する。さらに、ステップＳ１０８では、同様に過去所定回数回α分のＭＯＰ元圧の積算値を算出する。ただし、これらＯＣＶ制御量、ＭＯＰ制御量及びＭＯＰ元圧の積算期間は任意である。この積算する回数は任意である。そして、ステップＳ１０９において、ＭＯＰ制御量の積算値及びＭＯＰ元圧の積算値に基づき、図４を用いて説明したようにＯＣＶ制御量の積算値の正常動作範囲を設定する。
【００３７】
続くステップＳ１１０では、ＯＣＶ制御量の積算値がオイル漏れ動作の範囲内であるか否かを判定する。オイル漏れ動作の範囲内である場合にはステップＳ１１１に移行してオイル漏れ警告を行う。詳しくは、ダイアグノーシス機能により、運転者に異常を知らせる警告灯を点灯するとともに、エンジンオイル供給系に異常があることを表す警告データを異常診断用ログメモリ（ＥＥＰＲＯＭやスタンバイＲＡＭ等）に書き込む。
【００３８】
一方で、ステップＳ１１０においてオイル漏れ動作の範囲内でないと判定された場合には、ステップＳ１１２に移行して目詰まり動作の範囲内であるか否かを判定する。目詰まり動作の範囲内である場合には、ステップＳ１１３に移行して、ステップＳ１１２と同様にダイアグノーシス機能を利用して目詰まりが生じている旨の警告を行う。目詰まり動作の範囲内でないと判定された場合には、そのまま本異常検出処理を終了する。
【００３９】
以上詳述した実施の形態によれば、以下の優れた効果が得られる。
【００４０】
ＭＯＰ制御量が所定量以上である場合に、ＯＣＶ制御量の積算値を求めるとともに、その積算値が正常動作範囲内でないか否かを判定するように構成した。そして、ＯＣＶ制御量の積算値が正常動作範囲より小さい目詰まり動作の範囲である場合に目詰まりが生じていると判断し、ＯＣＶ制御量の積算値が正常動作範囲より大きいオイル漏れ動作の範囲である場合にオイル漏れが生じていると判断した。これは異常が発生した場合にＯＣＶ１３の制御態様が変化する事実に基づいている。したがって、上記構成のようにＯＣＶ制御量とＭＯＰ制御量との相関から目詰まりやオイル漏れといった異常を検出することが可能である。ここで、ＯＣＶ制御量の積算値の正常動作範囲をＭＯＰ制御量の積算値及びＭＯＰ元圧の積算値に応じて可変設定したことにより、より的確に異常の発生を検出することができる。
【００４１】
また、ＯＣＶ制御量、ＭＯＰ制御量及びＭＯＰ元圧に基づき異常検出を行ったことにより、異常検出用のセンサ等を追加する必要がなく、コスト面で有利である。
【００４２】
なお、本発明は以上説明した実施の形態に限定されるものではなく、以下のように実施しても良い。
【００４３】
上記実施の形態では、ＯＣＶ制御量及びＭＯＰ制御量の積算値を求め、異常検出を行ったが、これに限らない。ＯＣＶ１３の制御量の算出において不感帯を設けたことにより、保持デューティ比以外のＯＣＶ制御信号は、ＭＯＰ元圧の実圧が不感帯を超えた場合にのみが算出される。このため、目詰まりが発生してエンジンオイルが消費されにくい場合には、デューティ比が５０％を超えるＯＣＶ制御信号が出力される変化頻度が低下する。一方で、オイル漏れが発生してエンジンオイルが目標供給量に比べて余分に消費される場合には、デューティ比が５０％を超えるＯＣＶ制御信号が出力される変化頻度が増加する。したがって、ＯＣＶ１３の制御量として、５０％を超えるＯＣＶ制御信号が出力される変化頻度に基づいて異常検出を行うように構成しても良い。
【００４４】
上記実施の形態では、ＯＣＶ制御量、ＭＯＰ制御量及びＭＯＰ元圧の相関として、それぞれの積算値に基づいて異常検出を行ったがこれに限らない。ＯＣＶ制御量はＭＯＰ元圧の圧力偏差により決定されるものであるから、ＯＣＶ制御量の代わりにＭＯＰ元圧の圧力偏差を積算するとともにその積算値に基づいて異常判定を行う構成としても良い。
【００４５】
また、ＭＯＰ制御量はエンジンオイルの目標供給量により決定されるものであるから、ＯＣＶ制御量の代わりに目標供給量を積算するとともにその積算値に基づいて正常動作範囲を設定する構成としても良い。さらに、ＭＯＰ元圧としては、圧力センサ１７により検出した実圧又はエンジン運転状態に応じて算出される目標圧のいずれに基づいて正常動作範囲を設定しても異常検出を行うことができる。
【００４６】
上記実施の形態では、図５の異常判定処理のステップＳ１０９において、ＭＯＰ制御量の積算値及びＭＯＰ元圧の積算値に基づき、ＯＣＶ制御量の積算値の正常動作範囲を可変設定したが、これに限らない。ＭＯＰ制御量の積算値及びＭＯＰ元圧の積算値に応じた複数の正常動作範囲を予め用意しておき、ステップＳ１０９では適宜対応する正常動作範囲を読み出す構成としても良い。
【００４７】
上記実施の形態では、ロータリエンジンを対象としエンジンオイルの供給を行ったが、これに限らない。燃料とエンジンオイルを一定比率にて混合させてピストン摺動部などを潤滑させるエンジンとして、例えば２ストロークエンジンを対象としても良い。
【図面の簡単な説明】
【００４８】
【図１】エンジンオイル供給システムの概略構成を示す図である。
【図２】エンジンオイル供給システムが正常に動作する場合の動作を示すタイムチャートである。
【図３】エンジンオイル供給システムに異常が生じた場合の動作を示すタイムチャートである。
【図４】ＯＣＶ制御量の積算値の正常動作範囲を示す図である。
【図５】異常検出処理の処理手順を示すフローチャートである。
【符号の説明】
【００４９】
１２…オイルポンプ、１３…調圧弁としてのＯＣＶ、１４…調量ポンプとしてのＭＯＰ、１７…圧力センサ、２０…ＥＣＵ。
【図１】
2007224728.tif 000003
【図２】
2007224728.tif 000004
【図３】
2007224728.tif 000005
【図４】
2007224728.tif 000006
【図５】
2007224728.tif 000007